(57)【要約】【課題】宅内配線の構成を推定することができる宅内配線推定装置及び宅内配線推定方法を提供する。【解決手段】宅内配線推定装置６０は、宅内の分配器２０における損失を計算する計算部６４と、計算部６４により計算された損失に基づいて宅内配線の構成を推定し、推定した宅内配線の構成を示す配線マップを作成するマップ作成部６６とを備える。【選択図】図５
2014045303.tif 000002
【特許請求の範囲】
【請求項１】
宅内配線の構成を推定する宅内配線推定装置であって、
宅内の分配器における損失を計算する計算部と、
前記計算部により計算された損失に基づいて宅内配線の構成を推定し、推定した宅内配線の構成を示す配線マップを作成するマップ作成部と
を備えることを特徴とする宅内配線推定装置。
【請求項２】
前記計算部は、前記分配器の各端子についてアンテナ信号の減衰特性を計算し、
前記マップ作成部は、前記アンテナ信号の減衰特性に基づいて前記分配器の縦方向の段数を推定することを特徴とする請求項１に記載の宅内配線推定装置。
【請求項３】
前記計算部は、前記分配器の各端子間について端子間信号の減衰特性を計算し、
前記マップ作成部は、前記端子間信号の減衰特性に基づいて前記分配器の横方向の段数を推定することを特徴とする請求項１または２に記載の宅内配線推定装置。
【請求項４】
前記計算部は、複数の周波数帯で前記アンテナ信号または前記端子間信号の減衰特性を計算することを特徴とする請求項２または３に記載の宅内配線推定装置。
【請求項５】
前記計算部は、前記分配器の各端子間についてＩＰ信号または電気信号の送受信時間を計算し、
前記マップ作成部は、前記送受信時間に基づいて前記分配器の端子間の距離を推定することを特徴とする請求項１から４のいずれか一項に記載の宅内配線推定装置。
【請求項６】
宅内配線の構成を推定する宅内配線推定方法であって、
宅内の分配器における損失を計算する計算ステップと、
前記計算ステップで計算された損失に基づいて宅内配線の構成を推定し、推定した宅内配線の構成を示す配線マップを作成するマップ作成ステップと
を備えることを特徴とする宅内配線推定方法。
【発明の詳細な説明】
【技術分野】
【０００１】
本発明は、宅内配線の構成を推定する宅内配線推定装置及び宅内配線推定方法に関する。
【背景技術】
【０００２】
近年、アンテナの設置を必要とすることなく地上デジタル放送やＢＳデジタル放送等を視聴できるサービスが普及している（非特許文献１参照）。このようなサービスを受ける場合、ホーム共聴工事を実施するのが通常である。ホーム共聴工事では、アンテナを抜去して、回線終端装置（ＧＶ−ＯＮＵ）の出力を分配器の入力に接続する形態へ配線変更する。ホーム共聴工事を実施すれば、各部屋にてテレビ視聴することが可能となる。
【先行技術文献】
【非特許文献】
【０００３】
【非特許文献１】ＮＴＴ、フレッツ・テレビ、［平成２４年７月２６日検索］、インターネット＜URL：http://www.isdn-info.co.jp/ftv/service.html＞
【発明の概要】
【発明が解決しようとする課題】
【０００４】
しかしながら、分配器の個数や設置方法は各家によって異なる上、配線図等も残されていない状況から、分配器を見つけるのは困難である。そのため、工事必要の有無や工事規模を迅速に判断することができなかった。工事作業者は、自身のノウハウを元に分配器を探すが、長時間分配器が見つからない場合や、分配器が見つからず工事が実施できない場合もあった。
【０００５】
本発明は、上述した従来の技術に鑑み、宅内配線の構成を推定することができる宅内配線推定装置及び宅内配線推定方法を提供することを目的とする。
【課題を解決するための手段】
【０００６】
上記目的を達成するため、第１の態様に係る発明は、宅内配線の構成を推定する宅内配線推定装置であって、宅内の分配器における損失を計算する計算部と、前記計算部により計算された損失に基づいて宅内配線の構成を推定し、推定した宅内配線の構成を示す配線マップを作成するマップ作成部とを備えることを要旨とする。
【０００７】
第２の態様に係る発明は、第１の態様に係る発明において、前記計算部が、前記分配器の各端子についてアンテナ信号の減衰特性を計算し、前記マップ作成部が、前記アンテナ信号の減衰特性に基づいて前記分配器の縦方向の段数を推定することを要旨とする。
【０００８】
第３の態様に係る発明は、第１または第２の態様に係る発明において、前記計算部が、前記分配器の各端子間について端子間信号の減衰特性を計算し、前記マップ作成部が、前記端子間信号の減衰特性に基づいて前記分配器の横方向の段数を推定することを要旨とする。
【０００９】
第４の態様に係る発明は、第２または第３の態様に係る発明において、前記計算部が、複数の周波数帯で前記アンテナ信号または前記端子間信号の減衰特性を計算することを要旨とする。
【００１０】
第５の態様に係る発明は、第１から第４のいずれかの態様に係る発明において、前記計算部が、前記分配器の各端子間についてＩＰ信号または電気信号の送受信時間を計算し、前記マップ作成部が、前記送受信時間に基づいて前記分配器の端子間の距離を推定することを要旨とする。
【００１１】
また、上記目的を達成するため、第６の態様に係る発明は、宅内配線の構成を推定する宅内配線推定方法であって、宅内の分配器における損失を計算する計算ステップと、前記計算ステップで計算された損失に基づいて宅内配線の構成を推定し、推定した宅内配線の構成を示す配線マップを作成するマップ作成ステップとを備えることを要旨とする。
【発明の効果】
【００１２】
本発明によれば、宅内配線の構成を推定することができる宅内配線推定装置及び宅内配線推定方法を提供することが可能である。
【図面の簡単な説明】
【００１３】
【図１】本発明の実施の形態におけるホーム共聴工事の説明図であって、（ａ）ホーム共聴工事実施前、（ｂ）ホーム共聴工事実施後。
【図２】本発明の実施の形態における宅内配線の構成例を示す構成図である。
【図３】本発明の実施の形態における機能（１）〜（４）の説明図である。
【図４】本発明の実施の形態における宅内配線推定システムの構成図である。
【図５】本発明の実施の形態における宅内配線推定装置の構成図である。
【図６】本発明の実施の形態における記憶部に記憶されるデータベースの構成図である。
【図７】本発明の実施の形態における測定ポイントの説明図である。
【図８】本発明の実施の形態における宅内配線推定装置のシーケンス図である。
【図９】本発明の実施の形態における機能（１）を詳細に示すフローチャートである。
【図１０】本発明の実施の形態における基本的な構成例を示す構成図であって、（ａ）パターンａ、（ｂ）パターンｂ、（ｃ）パターンｃ、（ｄ）パターンｄ。
【図１１】本発明の実施の形態における機能（２）を詳細に示すフローチャートである。
【図１２】本発明の実施の形態における機能（３）を詳細に示すフローチャートである。
【図１３】本発明の実施の形態における機能（３）の具体例の説明図であって、（ａ）接続例１、（ｂ）接続例２、（ｃ）遅延理論値と距離との関係、（ｄ）計算結果。
【図１４】本発明の実施の形態における測定結果の具体例１を示す図である。
【図１５】本発明の実施の形態における配線マップの具体例１を示す図である。
【図１６】本発明の実施の形態における測定結果の具体例２を示す図である。
【図１７】本発明の実施の形態における配線マップの具体例２を示す図である。
【発明を実施するための形態】
【００１４】
以下、本発明の実施の形態について図面を参照して詳細に説明する。なお、以下の実施の形態は、この発明の技術的思想を具体化するための宅内配線推定装置を例示するものであり、装置の構成やデータの構造などは、以下の実施の形態に限定されるものではない。
【００１５】
（ホーム共聴工事）
図１（ａ）は、ホーム共聴工事を実施する前の状態を示している。この図に示すように、ホーム共聴工事前は、アンテナ１０が分配器２０の入力端子２０Ａに接続され、分配器２０の出力端子２０Ｂ，２０Ｃ，２０Ｄが各部屋３０，４０，５０の壁面のテレビ端子３１，４１，５１を介してテレビ受像器３２，４２，５２に接続されている。アンテナ１０は、受信した放送信号（以下、「アンテナ信号」という。）を分配器２０の入力端子２０Ａに入力する。分配器２０は、アンテナ信号２１を分配して出力端子２０Ｂ，２０Ｃ，２０Ｄから出力する。分配器２０の出力端子２０Ｂ，２０Ｃ，２０Ｄから出力されたアンテナ信号は、それぞれ、テレビ受像器３２，４２，５２に入力される。これにより、各テレビ受像器３２，４２，５２においてアンテナ信号による映像を視聴することができる。
【００１６】
図１（ｂ）は、ホーム共聴工事を実施した後の状態を示している。近年では、通信用のネットワークからも放送信号（ネット信号）が送信される。このようなネット信号による映像を各テレビ受像器３２，４２，５２において視聴するには、アンテナ１０を分配器２０から取り外し、ＧＶ−ＯＮＵなどの回線終端装置３４を分配器２０に取り付ける必要がある。
【００１７】
（本発明の概要）
図２は、宅内配線の構成例を模式的に示している。この図に示すように、アンテナ１０に２分配器２４が接続され、２分配器２４に２分配器２３，２５が接続されている。また、２分配器２３に２分配器２２が接続され、２分配器２２に２分配器２１が接続されている。更に、２分配器２５に２分配器２６が接続され、２分配器２６に２分配器２７が接続されている。これら２分配器２１〜２７（一括して「分配器２０」という。）は、多くの場合、屋根裏などの作業しづらい場所に設置されているため、分配器２０を見つけるのは困難である。
【００１８】
そこで、本発明では、以下の手法を採用している。すなわち、図３に示すように、分配器２０の出力端子Ａ〜Ｈに宅内配線推定装置６０を接続する。宅内配線推定装置６０は、宅内の分配器における損失を計算し、計算した損失に基づいて宅内配線の構成を推定し、推定した宅内配線の構成を示す配線マップを作成するようになっている。
【００１９】
宅内配線推定装置６０の主な機能は、次の機能（１）〜（４）に大別することができる。機能（１）は、分配器２０の縦方向（鉛直方向）の段数を推定する機能である。機能（２）は、分配器２０の横方向（水平方向）の段数や、分配器２０の種類（分配数）を推定する機能である。機能（３）は、分配器２０の端子間の距離を推定する機能である。機能（４）は、機能（１）〜（３）の結果に基づいて、宅内配線の構成を示す配線マップを作成する機能である。
【００２０】
（システム構成例）
図４は、宅内配線推定システムの構成図である。このシステムは、図４に示すように、アンテナ１０と、分配器２０と、接続端子（１）〜Ｘと、宅内配線推定装置６０とを備えている。分配器２０の出力端子Ａ〜Ｈのうち、宅内配線推定装置６０と接続されている出力端子を「接続端子（１）〜Ｘ」と呼ぶことにする。宅内配線推定装置６０から引き出されている同軸線を各部屋の壁面のテレビ端子に挿すことで、分配器２０の出力端子Ａ〜Ｈに宅内配線推定装置６０を接続することができる。機能（１）を実現する場合は、宅内配線推定装置６０から引き出されている１本の同軸線を接続端子（１）〜Ｘのうちの１つに接続する。機能（２）（３）を実現する場合は、宅内配線推定装置６０から引き出されている２本の同軸線を接続端子（１）〜Ｘのうちの２つに接続する。
【００２１】
（宅内配線推定装置の構成例）
図５は、宅内配線推定装置６０の構成図である。この図に示すように、宅内配線推定装置６０は、送信部６１と、受信部６２と、通知部６３と、計算部６４と、記憶部６５と、マップ作成部６６と、マップ表示部６７とを備えている。送信部６１は、同軸線を介して接続端子（１）〜Ｘに信号やパケットを送信する。受信部６２は、同軸線を介して接続端子（１）〜Ｘから信号やパケットを受信する。通知部６３は、受信部６２の受信結果を計算部６４に通知する。計算部６４は、宅内の分配器２０における損失などを計算する。記憶部６５は、計算部６４の計算結果を記憶する。記憶部６５に記憶されるデータベースの構成例を図６に示す。この図６に示すように、記憶部６５には、機能（１）〜（４）の計算結果が記憶されている。マップ作成部６６は、記憶部６５を参照することにより、計算部６４の計算結果に基づいて宅内配線の構成を推定し、推定した宅内配線の構成を示す配線マップを作成する。マップ表示部６７は、マップ作成部６６により作成された配線マップを表示する。
【００２２】
ここで、機能（１）を実現する場合、計算部６４は、分配器２０の各端子についてアンテナ信号の減衰特性を計算し、マップ作成部６６は、アンテナ信号の減衰特性に基づいて分配器２０の縦方向の段数を推定する。また、機能（２）を実現する場合、計算部６４は、分配器２０の各端子間について端子間信号の減衰特性を計算し、マップ作成部６６は、端子間信号の減衰特性に基づいて分配器２０の横方向の段数や分配器２０の種類を推定する。更に、機能（３）を実現する場合、計算部６４は、分配器２０の各端子間についてＩＰ信号または電気信号の送受信時間を計算し、マップ作成部６６は、送受信時間に基づいて分配器２０の端子間の距離を推定する。
【００２３】
（周波数帯）
計算部６４は、複数の周波数帯でアンテナ信号または端子間信号の減衰特性を計算してもよい。複数の周波数帯を使用すれば、その周波数帯ごとに減衰特性を計算することができるため、単数の周波数帯を使用した場合に比べて正確に減衰特性を計算することが可能となる。
【００２４】
具体的には、図７に示すように、地上デジタル放送やＢＳデジタル放送等で使用されていない測定ポイントＩ〜Ｙでアンテナ信号や端子間信号を測定する。測定ポイントＩ〜Ｙのいずれを使用するかは特に限定されるものではないが、低い周波数帯（例えば１〜９０ＭＨｚ）ほど、より正確に減衰特性を計算することができる。
【００２５】
（シーケンス）
図８は、宅内配線推定装置６０のシーケンス図である。まず、各接続端子（１）〜Ｘでそれぞれアンテナ信号を送受信し、損失を計算する（ステップＳ１）。このステップＳ１は、機能（１）に相当するものであり、分配器２０が縦方向に何段あるかが分かる。次いで、各接続端子（１）〜Ｘ間でそれぞれ端子間信号を送受信し、損失を計算する（ステップＳ２）。このステップＳ２は、機能（２）に相当するものであり、分配器２０が横方向に何段あるかが分かる。次いで、ステップＳ１及びＳ２の損失の結果に基づいて、分配器２０の縦方向及び横方向の段数を推定する（ステップＳ３）。次いで、各接続端子（１）〜Ｘ間でそれぞれＰｉｎｇのようなＩＰ信号または電気信号を送受信し、送受信時間を計算する（ステップＳ４）。このステップＳ４は、機能（３）に相当するものであり、端子間のケーブルの距離が分かる。最後に、機能（１）（２）（３）の結果に基づいて、配線マップを作成する（ステップＳ５）。実際の結果をデータベース化することで、配線マップの精度を向上させることが可能である。
【００２６】
（機能（１）の詳細）
図９は、機能（１）を詳細に示すフローチャートである。この図に示すように、機能（１）では、各接続端子（１）〜Ｘについてアンテナ信号の強度がＮ種類あるか計算する（ステップＳ１１）。具体的には、宅内配線推定装置６０から引き出されている同軸線を分配器２０の出力端子Ａに接続し、出力端子Ａを介して受信されるアンテナ信号の強度を計算する。その後、出力端子Ｂ，Ｃ，…，Ｇ，Ｈというように、宅内配線推定装置６０から引き出されている同軸線の挿し位置を順次変更しながら、同様の手法でアンテナ信号の強度を計算する。これにより、アンテナ信号の強度がＮ種類あることが分かると、縦方向の段数がＮ段であると推定する（ステップＳ１２）。
【００２７】
図１０は、本発明の実施の形態における基本的な構成例を示す図である。縦方向の段数は、“アンテナ信号の強度の種類の数＋０または１”で推定することができる。０または１のいずれを加算してもよいが、本実施の形態では０を加算している。分配器２０は、最も分配数の多いものが頂点にあり、その頂点の下にはそれ以下の分配数の分配器２０が存在する。基本的に、分配器２０は複雑化しすぎると損失が多く、テレビ視聴が困難になるため、以下のパターンａ〜ｄとするのが通常である。
【００２８】
パターンａでは、図１０（ａ）に示すように、アンテナ１０に６分配器２０が接続されている。この場合、出力端子Ａ〜Ｆのアンテナ信号の強度の種類は１つである。強度が最も大きい出力端子Ａ〜Ｆがアンテナ１０に接続されている分配器２０に最も近い。縦方向の段数は１段である。
【００２９】
パターンｂでは、図１０（ｂ）に示すように、アンテナ１０に２分配器２０が接続され、その２分配器２０の各出力端子の下に１つずつ２分配器２０が接続されている。この場合、出力端子Ａ〜Ｄのアンテナ信号の強度の種類は１つである。強度が最も大きい出力端子Ａ〜Ｄがアンテナ１０に接続されている分配器２０に最も近い。縦方向の段数は１段である。
【００３０】
パターンｃでは、図１０（ｃ）に示すように、アンテナ１０に４分配器２０が接続され、その４分配器２０の１つの出力端子に１つの２分配器２０が接続されている。この場合、出力端子Ｃ〜Ｅのアンテナ信号の強度が出力端子Ａ，Ｂのアンテナ信号の強度に比べて強い。アンテナ信号の強度の種類は２つである。強度が最も大きい出力端子Ｃ〜Ｅがアンテナ１０に接続されている分配器２０に最も近い。縦方向の段数は２段である。
【００３１】
パターンｄでは、図１０（ｄ）に示すように、アンテナ１０に２分配器２０が接続され、その２分配器２０の各出力端子の下に３つずつ直列に２分配器２０が接続されている。この場合、アンテナ信号の強度の種類は、「Ａ，Ｂ，Ｇ，Ｈ」「Ｃ，Ｆ」「Ｄ，Ｅ」の３つである。強度が最も大きい出力端子Ｄ，Ｅがアンテナ１０に接続されている分配器２０に最も近い。縦方向の段数は３段である。
【００３２】
（機能（２）の詳細）
図１１は、機能（２）を詳細に示すフローチャートである。この図に示すように、機能（２）では、各接続端子（１）〜Ｘ間について端子間信号の強度がＭ種類あるか計算する（ステップＳ２１）。具体的には、宅内配線推定装置６０から引き出されている同軸線を分配器２０の出力端子Ａ及びＢに接続し、出力端子Ａ〜Ｂ間で送受信される端子間信号の強度を計算する。その後、出力端子Ａ及びＢ，Ａ及びＣ，…，Ｇ及びＨというように、宅内配線推定装置６０から引き出されている同軸線の挿し位置を順次変更しながら、同様の手法で端子間信号の強度を計算する。これにより、端子間信号の強度がＭ種類あることが分かると、横方向の段数がＭ段であると推定する（ステップＳ２２）。
【００３３】
横方向の段数の推定方法は、縦方向の段数の推定方法と同様である。すなわち、横方向の段数は、“端子間信号の強度の種類の数＋０または１”で推定することができる。０または１のいずれを加算してもよいが、本実施の形態では０を加算している。
【００３４】
（機能（３）の詳細）
図１２は、機能（３）を詳細に示すフローチャートである。この図に示すように、機能（３）では、各接続端子（１）〜Ｘ間についてＩＰ信号または電気信号の送受信時間を計算する（ステップＳ３１）。具体的には、宅内配線推定装置６０から引き出されている同軸線を分配器２０の出力端子Ａ及びＢに接続し、出力端子Ａ〜Ｂ間でｐｉｎｇなどのＩＰ通信を実施または電気信号を送受信し、送受信時間を計算する。その後、出力端子Ａ及びＢ，Ａ及びＣ，…，Ｇ及びＨというように、宅内配線推定装置６０から引き出されている同軸線の挿し位置を順次変更しながら、同様の手法で送受信時間を計算する。これにより、送受信時間に基づいて各端子間の距離を推定する（ステップＳ３２）。
【００３５】
図１３は、機能（３）の具体例の説明図である。図１３（ａ）は、Ｓ−５Ｃ−ＦＢ１０ｍの同軸ケーブルを通じてＩＰ通信機器により通信する接続例１を示している。図１３（ｂ）は、Ｓ−５Ｃ−ＦＢ２０ｍの同軸ケーブルと２分配器を通じてＩＰ通信機器により通信する接続例２を示している。図１３（ｃ）は、１０ｍあたりの遅延理論値（ｓｅｃ）と距離（ｍ）との関係を示している。図１３（ｄ）は、接続例１と接続例２における遅延値の計算結果を示している。具体的には、Ｎ２Ｘにて上下５０ＭｂｐｓのＵＤＰトラヒックを１分間印加し、最大遅延値及び最小遅延値を各２回測定して平均遅延値を計算した。このような平均遅延値に基づいて、各端子間の距離を推定することが可能である。
【００３６】
（具体例１）
図１４は、本発明の実施の形態における測定結果の具体例１を示す図である。ここでは、図３に示す構成において、出力端子Ａを中心に測定した場合について説明する。
【００３７】
機能（１）の測定結果は、出力端子ＡとＢが−６０ｄＢ、出力端子Ｃが−５５ｄＢ、出力端子ＤとＥが−５０ｄＢ、出力端子Ｆが−５５ｄＢ、出力端子ＧとＨが−６０ｄＢであった。これら信号の強度に着目すると、出力端子ＤとＥが１段目、出力端子ＣとＦが２段目、出力端子ＡとＢとＧとＨが３段目となり、分配器２０の縦方向の段数は３段と推定することができる。
【００３８】
機能（２）の測定結果は、出力端子Ｂが−３０ｄＢ、出力端子Ｃが−３５ｄＢ、出力端子Ｄが−４０ｄＢ、出力端子Ｅが−５０ｄＢ、出力端子Ｆが−５５ｄＢ、出力端子ＧとＨが−６０ｄＢであった。これら信号の強度に着目すると、出力端子Ｂが１段目、出力端子Ｃが２段目、出力端子Ｄが３段目、出力端子Ｅが４段目、出力端子Ｆが５段目、出力端子ＧとＨが６段目となり、分配器２０の横方向の段数は６段と推定することができる。
【００３９】
機能（３）の測定結果は、出力端子Ｂが０．１ｍ、出力端子Ｃが２ｍ、出力端子Ｄが４ｍ、出力端子Ｅが８ｍ、出力端子Ｆが１２ｍ、出力端子Ｇが１５ｍ、出力端子Ｈが１５ｍであった。出力端子Ｂの測定結果（０．１ｍ）は所定の閾値以下であるため、出力端子ＡとＢは同一分配器の出力端子であると推定した。
【００４０】
図１５は、本発明の実施の形態における配線マップの具体例１を示す図である。この配線マップは、図１４の測定結果に基づいて作成されたものである。
【００４１】
まず、機能（１）の測定結果に基づいて、出力端子Ａ〜Ｈが縦方向に３段に配置される。具体的には、出力端子ＤとＥが１段目、出力端子ＣとＦが２段目、出力端子ＡとＢとＧとＨが３段目に配置される。
【００４２】
次いで、機能（２）の測定結果に基づいて、出力端子Ａ〜Ｈが横方向に６段に配置される。具体的には、出力端子ＡとＢが１段目、出力端子Ｃが２段目、出力端子Ｄが３段目、出力端子Ｅが４段目、出力端子Ｆが５段目、出力端子ＧとＨが６段目に配置される。
【００４３】
次いで、機能（３）の測定結果に基づいて、各端子間の距離を示す情報が配置される。具体的には、出力端子Ａ〜Ｃ間が２ｍ、出力端子Ａ〜Ｄ間が４ｍ、出力端子Ａ〜Ｅ間が８ｍ、出力端子Ａ〜Ｆ間が１２ｍ、出力端子Ａ〜Ｇ，Ｈ間が１５ｍであることを示す情報が配置される。
【００４４】
最後に、このように作成された配線マップがマップ表示部６７に表示される。
【００４５】
（具体例２）
図１６は、本発明の実施の形態における測定結果の具体例２を示す図である。ここでは、図３に示す構成において、出力端子Ｄを中心に測定した場合について説明する。
【００４６】
機能（１）の測定結果は、出力端子ＡとＢが−６０ｄＢ、出力端子Ｃが−５５ｄＢ、出力端子ＤとＥが−５０ｄＢ、出力端子Ｆが−５５ｄＢ、出力端子ＧとＨが−６０ｄＢであった。これら信号の強度に着目すると、出力端子ＤとＥが１段目、出力端子ＣとＦが２段目、出力端子ＡとＢとＧとＨが３段目となり、分配器２０の縦方向の段数は３段と推定することができる。
【００４７】
機能（２）の測定結果は、出力端子Ａが４０ｄＢ、出力端子Ｂが４０ｄＢ、出力端子Ｃが３５ｄＢ、出力端子Ｅが４０ｄＢ、出力端子Ｆが４５ｄＢ、出力端子ＧとＨが５０ｄＢであった。これら信号の強度に着目すると、出力端子Ｃが１段目、出力端子ＡとＢとＥが２段目、出力端子Ｆが３段目、出力端子ＧとＨが４段目となり、分配器２０の横方向の段数は４段と推定することができる。
【００４８】
機能（３）の測定結果は、出力端子Ａが６ｍ、出力端子Ｂが６ｍ、出力端子Ｃが４ｍ、出力端子Ｅが８ｍ、出力端子Ｆが１２ｍ、出力端子Ｇが１５ｍ、出力端子Ｈが１５ｍであった。
【００４９】
図１７は、本発明の実施の形態における配線マップの具体例２を示す図である。この配線マップは、図１６の測定結果に基づいて作成されたものである。
【００５０】
まず、機能（１）の測定結果に基づいて、出力端子Ａ〜Ｈが縦方向に３段に配置される。具体的には、出力端子ＤとＥが１段目、出力端子ＣとＦが２段目、出力端子ＡとＢとＧとＨが３段目に配置される。
【００５１】
次いで、機能（２）の測定結果に基づいて、出力端子Ａ〜Ｈが横方向に４段に配置される。具体的には、出力端子Ｃが１段目、出力端子ＡとＢとＥが２段目、出力端子Ｆが３段目、出力端子ＧとＨが４段目に配置される。ここでは、アンテナ１０を「Ｘ」で表しているが、配線マップにアンテナ１０を配置するかどうかは特に限定されるものではない。
【００５２】
次いで、機能（３）の測定結果に基づいて、各端子間の距離を示す情報が配置される。具体的には、出力端子Ｃ〜Ｃ間が４ｍ、出力端子Ｄ〜Ａ，Ｂ間が６ｍ、出力端子Ｄ〜Ｅ間が８ｍ、出力端子Ｄ〜Ｆ間が１２ｍ、出力端子Ｄ〜Ｇ，Ｈ間が１５ｍであることを示す情報が配置される。出力端子ＡとＢとＥの横方向の段数はいずれも２段目であるが、出力端子Ｄ〜Ａ，Ｂ間の距離は６ｍであり、出力端子Ｄ〜Ｅ間の距離は８ｍである。そのため、出力端子Ｄ〜Ａ，Ｂ間の距離（６ｍ）よりも出力端子Ｄ〜Ｅ間の距離（８ｍ）が大きくなるように、配線マップ上の出力端子の配置を調整している。
【００５３】
最後に、このように作成された配線マップがマップ表示部６７に表示される。
【００５４】
以上のように、本発明の実施の形態における宅内配線推定装置６０は、宅内の分配器２０における損失を計算し、計算した損失に基づいて宅内配線の構成を推定し、推定した宅内配線の構成を示す配線マップを作成する。これにより、宅内配線の構成（分配器２０の数や種類など）を工事前に把握することができるため、工事必要の有無や工事規模を迅速に判断することが可能となる。
【００５５】
具体的には、計算部６４は、分配器２０の各端子についてアンテナ信号の減衰特性を計算し、マップ作成部６６は、アンテナ信号の減衰特性に基づいて分配器２０の縦方向の段数を推定してもよい。これにより、簡便な方法で迅速に縦方向の段数を推定することが可能である。
【００５６】
また、計算部６４は、分配器２０の各端子間について端子間信号の減衰特性を計算し、マップ作成部６６は、端子間信号の減衰特性に基づいて分配器２０の横方向の段数を推定してもよい。これにより、簡便な方法で迅速に横方向の段数を推定することが可能である。
【００５７】
また、計算部６４は、複数の周波数帯でアンテナ信号または端子間信号の減衰特性を計算してもよい。これにより、単数の周波数帯を使用した場合に比べて正確に減衰特性を計算することができる。
【００５８】
また、計算部６４は、分配器２０の各端子間についてＩＰ信号または電気信号の送受信時間を計算し、マップ作成部６６は、送受信時間に基づいて分配器２０の端子間の距離を推定してもよい。これにより、端子間の距離を配線マップに反映することができるので、宅内環境をより正確に把握することが可能となる。
【００５９】
なお、ここでは、宅内配線推定装置６０に配線マップを表示することとしているが、宅内配線推定装置６０とネットワークを介して接続された別の装置で配線マップを表示するようにしてもよい。もちろん、この別の装置で配線マップを作成することもできる。すなわち、図５の各処理部６１〜６７は、複数の装置に分散させることが可能である。
【００６０】
また、機能（１）〜（３）の全部を備えていない場合でも配線マップを作成することは可能である。例えば、アンテナ１０が未対応または視聴困難エリアである場合は、機能（１）を使用せず、機能（２）（３）だけを使用して配線マップを作成してもよい。もちろん、機能（１）〜（３）の全部を使用した方が、より高精度な推定が可能である。
【００６１】
また、本発明は、宅内配線推定装置６０として実現することができるだけでなく、このような宅内配線推定装置６０が備える特徴的な処理部をステップとする宅内配線推定方法として実現したり、それらのステップをコンピュータに実行させるプログラムとして実現したりすることもできる。このようなプログラムは、ＣＤ−ＲＯＭ等の記録媒体やインターネット等の伝送媒体を介して配信することができるのはいうまでもない。
【符号の説明】
【００６２】
６０…宅内配線推定装置
６１…送信部
６２…受信部
６３…通知部
６４…計算部
６５…記憶部
６６…マップ作成部
６７…マップ表示部
【図１】
2014045303.tif 000003
【図２】
2014045303.tif 000004
【図３】
2014045303.tif 000005
【図４】
2014045303.tif 000006
【図５】
2014045303.tif 000007
【図６】
2014045303.tif 000008
【図７】
2014045303.tif 000009
【図８】
2014045303.tif 000010
【図９】
2014045303.tif 000011
【図１０】
2014045303.tif 000012
【図１１】
2014045303.tif 000013
【図１２】
2014045303.tif 000014
【図１３】
2014045303.tif 000015
【図１４】
2014045303.tif 000016
【図１５】
2014045303.tif 000017
【図１６】
2014045303.tif 000018
【図１７】
2014045303.tif 000019